(57)【要約】【課題】車両の運転制御において、ドライバの感覚にマッチした運転状態に制御可能とする運転制御装置を提供する。【解決手段】車両に搭載される搭載機器１１、２１、３１、１４０、１５０、１６０を作動させて、運転に必要とされる制御を行う制御部１７０を備える運転制御装置であって、道路情報取得手段１１０と、車両情報取得手段１２０と、ドライバ情報取得手段１３０とを備え、制御部１７０は、道路情報、および車両情報に基づき、制御による運転に必要とされる基本条件を算出すると共に、ドライバ情報に基づきドライバの特性、状態に合ったドライバ条件を学習算出することで、総合的な制御条件を定めて、搭載機器１１、２１、３１、１４０、１５０、１６０の作動制御を行う。【選択図】図３
2016020177.tif 000002
【特許請求の範囲】
【請求項１】
車両に搭載される搭載機器（１１、２１、３１、１４０、１５０、１６０）を作動させて、運転に必要とされる制御を行う制御部（１７０）を備える運転制御装置であって、
走行する道路の環境、状況に関する道路情報を取得する道路情報取得手段（１１０）と、
前記車両の特性、状態に関する車両情報を取得する車両情報取得手段（１２０）と、
ドライバの特性、状態に関するドライバ情報を取得するドライバ情報取得手段（１３０）とを備え、
前記制御部（１７０）は、前記道路情報、および前記車両情報に基づき、前記制御による運転に必要とされる基本条件を算出すると共に、前記ドライバ情報に基づき前記ドライバの特性、状態に合ったドライバ条件を学習算出することで、総合的な制御条件を定めて、前記搭載機器（１１、２１、３１、１４０、１５０、１６０）の作動制御を行うことを特徴とする運転制御装置。
【請求項２】
前記制御による運転に基づく前記ドライバの反応を把握する把握手段（１３１、１３２）を備え、
前記制御部（１７０）は、前記把握手段（１３１、１３２）によって得られた前記ドライバの反応結果に応じて、前記総合的な制御条件の見直しを行うことを特徴とする請求項１に記載の運転制御装置。
【請求項３】
前記道路情報、前記車両情報、および前記ドライバ情報は、それぞれ、前記道路情報取得手段（１１０）、前記車両情報取得手段（１２０）、および前記ドライバ情報取得手段（１３０）によってリアルタイムで計測取得される計測データに加えて、既知のデータとして予め前記制御部（１７０）に記憶蓄積された蓄積データを含むことを特徴とする請求項１または請求項２に記載の運転制御装置。
【請求項４】
前記搭載機器（１１、２１、３１、１４０、１５０、１６０）は、前記車両の走行に関与する駆動用機器（１１、２１、３１）、車室内の空調を行う空調用機器（１４０）、および前記ドライバへの各種表示を行う表示用機器（１５０、１６０）の少なくとも１つであることを特徴とする請求項１〜請求項３のいずれか１つに記載の運転制御装置。
【発明の詳細な説明】
【技術分野】
【０００１】
本発明は、車両の自動走行を制御する運転制御装置に関するものである。
【背景技術】
【０００２】
従来、自動運転を行う自動運転車両として、例えば、特許文献１に記載されたものが知られている。特許文献１の自動運転車両は、エンジンのスロットルバルブの開度を調節するスロットルアクチュエータ、ブレーキ装置の油圧を調節するブレーキアクチュエータ、ステアリングに対して操舵力を付与する操舵モータ、および制御用のＥＣＵ等が設けられている。そして、ＥＣＵは、予め定められた目標速度パターン、および目標走行軌跡に応じて、上記各種機器の作動を制御することで、車両の自動運転を可能としている。
【先行技術文献】
【特許文献】
【０００３】
【特許文献１】特開２００８−１２０２７１号公報
【発明の概要】
【発明が解決しようとする課題】
【０００４】
ここで、社会心理学には、パーソナルスペースという概念がある。これは他人に進入されると不快を感じる空間および距離のことで、心理的縄張りとも言われている。パーソナルスペースは、一般に自身の周囲、十数ｃｍ〜数ｍと幅があり、進入してくる対象との関係、その状況、また文化等により異なるとされている。
【０００５】
そして、自動車の運転の際も同様で、前後間の車間距離や車線内での左右の位置等も、ドライバは感覚的に望ましいと感じる自車位置を維持しようとする。また、このようなスペースの取り方は、常に一定ではなく自車両が走行する速度や周辺の車両の混み具合等にも影響を受ける。
【０００６】
そこで、上記特許文献１のような自動運転においては、制御によって車両がとる走行ライン、位置、挙動等がドライバの意図するものと合致しない場合、ドライバは不快や不安を感じたり、場合によっては事故を招くおそれがある。
【０００７】
本発明の目的は、上記問題に鑑み、車両の運転制御において、ドライバの感覚にマッチした運転状態に制御可能とする運転制御装置を提供することにある。
【課題を解決するための手段】
【０００８】
本発明は上記目的を達成するために、以下の技術的手段を採用する。
【０００９】
本発明では、車両に搭載される搭載機器（１１、２１、３１、１４０、１５０、１６０）を作動させて、運転に必要とされる制御を行う制御部（１７０）を備える運転制御装置であって、
走行する道路の環境、状況に関する道路情報を取得する道路情報取得手段（１１０）と、
車両の特性、状態に関する車両情報を取得する車両情報取得手段（１２０）と、
ドライバの特性、状態に関するドライバ情報を取得するドライバ情報取得手段（１３０）とを備え、
制御部（１７０）は、道路情報、および車両情報に基づき、制御による運転に必要とされる基本条件を算出すると共に、ドライバ情報に基づきドライバの特性、状態に合ったドライバ条件を学習算出することで、総合的な制御条件を定めて、搭載機器（１１、２１、３１、１４０、１５０、１６０）の作動制御を行うことを特徴としている。
【００１０】
この発明によれば、制御部（１７０）は、道路情報、および車両情報に基づいて制御による運転に必要とされる基本条件を算出するので、道路の環境、状況、および車両の特性、状態に見合った制御条件とすることができ、信頼性の高い運転制御を実現することができる。
【００１１】
加えて、制御部（１７０）は、上記の基本条件に加えて、ドライバ情報に基づいてドライバの特性、状態に合ったドライバ条件を学習算出して、総合的な制御条件とする。よって、ドライバの日常的な運転要領、好み、更には当日の体調等に応じた運転制御を実現することができるので、ドライバの感覚にマッチした運転制御とすることができる。
【００１２】
尚、上記各手段の括弧内の符号は、後述する実施形態記載の具体的手段との対応関係を示すものである。
【図面の簡単な説明】
【００１３】
【図１】第１実施形態における運転制御装置を示す全体構成図である。
【図２】第１実施形態における運転制御の基本的な考え方を示す説明図である。
【図３】第１実施形態における運転制御の内容を示すフローチャートである。
【図４】前後の車両間隔について制御する場合を示す説明図である。
【図５】車線に対する左右の位置を制御する場合を示す説明図である。
【図６】ヘッドアップディスプレイ装置の表示像の位置を制御する場合を示す説明図である。
【発明を実施するための形態】
【００１４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１５】
（第１実施形態）
本発明の第１実施形態について、図１〜図６を用いて説明する。第１実施形態における車両は、制御による運転において、走行機能（走る、曲がる、止まる）を発揮するためのスロットルアクチュエータ１１、操舵モータ２１、ブレーキアクチュエータ３１等を備えている。また、第１実施形態の運転制御装置１００は、道路情報取得部１１０、車両情報取得部１２０、ドライバ情報取得部１３０、空調装置１４０、コンビネーションメータ１５０、ヘッドアップディスプレイ装置１６０、および制御部１７０等を備えている。
【００１６】
制御部１７０は、後述する道路情報、車両情報、およびドライバ情報を基に、総合的な制御条件を定めて、スロットルアクチュエータ１１、操舵モータ２１、およびブレーキアクチュエータ３１等の作動を制御することで、車両の運転に必要とされる制御を行うようになっている。制御による運転（以下、運転制御）の内容は、例えば、ドライバに対する運転支援（アシスト）、あるいはドライバの直接的な操作を不要とする完全な自動運転等である。本実施形態では、主に、運転支援制御を行うものとして説明する。
【００１７】
また、制御部１７０は、各種情報に応じて、空調装置１４０に対して空調条件の変更を指示する。また、制御部１７０は、コンビネーションメータ１５０、およびヘッドアップディスプレイ装置１６０に対して、運転制御時におけるドライバへの適切な表示を行うように指示する。
【００１８】
ここで、運転制御に係る道路情報、車両情報、およびドライバ情報は、例えば、以下のような内容を有する情報である。
【００１９】
道路情報は、道路の環境、状況に関する情報であり、例えば、
１）交差点、単路、直線、カーブ、車線数、狭路、勾配等の道路形状、
２）天候影響を含めた照度、乾燥、湿潤、凍結等の路面状況、
３）見通しの良し悪しを示す道路状況、
４）信号、標識、表示、照明、カーブミラー、ガードレール、中央分離帯、交通情報板等の交通施設
５）他の障害物を示す障害物情報
６）交通流、交通量、渋滞具合、事故多発地点等の交通状況
７）自分以外の道路上の他の交通情報（歩行者、自転車、バイク、他車両等）
等を示すものである。
【００２０】
車両情報は、車両の特性、状態に関する情報であり、例えば、
１）視認性（運転視界、計器や表示類、警報等の情報提示）
２）操作性（運転に関わる操作性、主操作以外の機器類の操作性）
３）快適性（振動、騒音、空調）
４）車両の欠陥、故障
５）車両性能
６）車両挙動（停止、加速、減速、等速、ヨーイング、ローリング、ピッチング）
７）車両信号（車両識別）
等を示すものである。
【００２１】
ドライバ情報は、ドライバの特性、状態に関する情報であり、例えば、
１）素質（知能、知覚、運動技能、性格、態度）
２）心理（錯誤、不注意、失念、無意識的条件反射）
３）経歴（運転経験年数、事故歴）
４）意欲（地位、待遇、厚生、興味、気分）
５）状態（疲労、疾病、睡眠、休息、アルコール、薬物等）
６）人間特性（年齢、視覚特性、認知特性等諸特性）
７）走行時の癖、好み、傾向
等を示すものである。
【００２２】
以下、各構成の詳細について説明する。まず、車両に設けられるスロットルアクチュエータ１１、操舵モータ２１、およびブレーキアクチュエータ３１について簡単に説明する。
【００２３】
スロットルアクチュエータ１１は、エンジン１０のスロットルバルブの開度を調節することで、車速を調節するものであり、本発明の搭載機器、および駆動用機器に対応する。スロットルアクチュエータ１１は、制御部１７０から出力される制御信号に従って作動する。尚、車速を調整する駆動用機器として、スロットルアクチュエータ１１に代えて、アクセルの作動を調節するアクセルアクチュエータとしてもよい。
【００２４】
操舵モータ２１は、ステアリング２０の操舵力伝達機構に対し操舵力を与え自動操舵を行うものであり、本発明の搭載機器、および駆動用機器に対応する。操舵モータ２１は、例えば、ステアリングシャフトなどの操舵力伝達機構に取り付けられ、ギヤ機構等を通じて操舵力を付与する。この操舵モータ２１は、制御部１７０から出力される制御信号に従って作動する。この操舵モータ２１としては、電動パワーステアリングシステムに用いられるアシストモータを利用することが好ましい。
【００２５】
ブレーキアクチュエータ３１は、ブレーキ３０の制動力を調節するためのものであり、本発明の搭載機器、および駆動用機器に対応する。ブレーキアクチュエータ３１は、制御部１７０から出力される制御信号に従って作動する。
【００２６】
次に、運転制御装置１００の各構成について説明する。
【００２７】
道路情報取得部１１０は、上記の各種道路情報を取得するための道路情報取得手段である。道路情報取得部１１０は、例えば、前方検出部１１１、後方検出部１１２、ＧＰＳ装置１１３、車々間通信部１１４、および路車間通信部１１５等を有している。
【００２８】
前方検出部１１１は、車両前方における道路情報を取得する取得手段であり、車両前部の左右（例えば、グリルあるいはバンパーの左右部等）に設けられている。前方検出部１１１としては、例えば、カメラ、ミリ波レーダ、レーザレーダ、およびソナー等のいずれかを用いることができる。ここでは、前方検出部１１１としてカメラを使用している。
【００２９】
前方検出部１１１は、道路情報として、路面状況、道路状況、交通状況、他の交通情報等をリアルタイムで計測取得するようになっている。また、前方検出部１１１は、ドライバ情報（走行時の癖、好み、傾向等）として、前方車両までの距離（前方車間距離）、車両左右の車線までの距離、走行道路における車線のいずれを走行しているか等をリアルタイムで計測取得するようになっている。前方検出部１１１によって検出された各種情報は、制御部１７０に出力されるようになっている。
【００３０】
後方検出部１１２は、車両後方における道路情報を取得する取得手段であり、車両後部の左右（例えば、バンパーの左右部等）に設けられている。後方検出部１１２としては、前方検出部１１１と同様に、例えば、カメラ、ミリ波レーダ、レーザレーダ、およびソナー等のいずれかを用いることができる。ここでは、後方検出部１１２としてカメラを使用している。
【００３１】
後方検出部１１２は、道路情報として、路面状況、道路状況、交通状況、他の交通情報等をリアルタイムで計測取得するようになっている。また、後方検出部１１２は、ドライバ情報（走行時の癖、好み、傾向等）として、後方車両までの距離（後方車間距離）、車両左右の車線までの距離、走行道路における車線のいずれを走行しているか等をリアルタイムで計測取得するようになっている。後方検出部１１２によって検出された各種情報は、制御部１７０に出力されるようになっている。
【００３２】
ＧＰＳ（Ｇｌｏｂａｌ  Ｐｏｓｉｔｉｏｎｉｎｇ  Ｓｙｓｔｅｍ）装置１１３は、人工衛星から発信された電波を受信し、その電波情報に基づいて地図上における自車両の現在位置、道路形状、道路状況、および交通状況等をリアルタイムで計測取得するようになっている。ＧＰＳ装置１１３によって検出された道路情報は、制御部１７０に出力されるようになっている。
【００３３】
車々間通信部１１４は、他車との通信を行う通信手段であり、自車および他車に関する道路情報を互いにリアルタイムで通信するようになっている。車々間通信部１１４によって取得された道路情報は、制御部１７０に出力されるようになっている。
【００３４】
路車間通信部１１５は、交通網における道路脇、あるいは電柱等に設けられた路車間通信器５０とリアルタイムで通信を行い、例えば、路面状況、および交通状況等の道路情報を取得するものである。路車間通信部１１５は、例えば電波を情報伝達媒体として通信を行う通信機が用いられる。路車間通信部１１５によって取得された道路情報は、制御部１７０に出力されるようになっている。
【００３５】
車両情報取得部１２０は、上記の各種車両情報を取得するための車両報取得手段である。車両情報取得部１２０は、例えば、速度センサ１２１、および加速度センサ１２２等を有している。
【００３６】
速度センサ１２１は、車両挙動における車両速度を取得する取得手段であり、例えば、トランスミッションの出力軸に設けられている。速度センサ１２１は、出力軸の回転数を検出して、この回転数から対応する車両速度をリアルタイムで計測取得するようになっている。速度センサ１２１によって取得された車両速度は、制御部１７０に出力されるようになっている。
【００３７】
加速度センサ１２２は、車両挙動における加速度から、ヨーイング、ローリング、ピッチング等を取得する取得手段であり、車両の所定部位に設けられている。加速度センサ１２２は、例えばバネと重りとから形成されて、重りの動きに伴うバネの移動距離を検出して、対応する加速度をリアルタイムで計測取得するようになっている。速度センサ１２１によって取得された加速度は、制御部１７０に出力されるようになっている。
【００３８】
ドライバ情報取得部１３０は、上記の各種ドライバ情報を取得するためのドライバ情報取得手段である。ドライバ情報取得部１３０は、例えば、生体センサ１３１、およびドライバカメラ１３２等を有している。
【００３９】
生体センサ１３１は、ドライバにおける心理、および状態等を取得する取得手段であり、例えば、ステアリング２０に設けられている。生体センサ１３１は、ドライバの心拍数、体温、発汗状態等を検出することで、ドライバの心理、および状態等をリアルタイムで計測取得するようになっている。生体センサ１３１によって取得された心理、状態のデータは、制御部１７０に出力されるようになっている。尚、生体センサ１３１としては、ステアリング２０に設けられるものに対して、シート（着座部等）に設けられるものとしてもよい。
【００４０】
ドライバカメラ１３２は、生体センサ１３１と同様に、ドライバにおける心理、および状態等を取得する取得手段であり、例えば、フロントウインドウ４０の上部に設けられている。ドライバカメラ１３２は、ドライバの表情、動き等を画像として撮影し、予め記憶された基本画像と比較することで、ドライバの心理、および状態等をリアルタイムで計測取得するようになっている。ドライバカメラ１３２によって取得された心理、状態のデータは、制御部１７０に出力されるようになっている。尚、ドライバ情報取得部１３０としては、上記の生体センサ１３１、およびドライバカメラ１３２のいずれか一方を用いるものとしてもよい。
【００４１】
空調装置１４０は、内蔵される冷却用熱交換器、および加熱用熱交換器によって、空調用空気の温度調節を行い、車室内を空調するものであり、本発明の搭載機器、および駆動用機器に対応する。空調装置１４０は、車室内温度の調節、空調空気の吹出し量調節、および空調空気の吹出し方向等の制御が可能となっている。空調装置１４０の作動制御は、直接的には内蔵される空調制御部によって行われるようになっている。そして、この空調制御部には、運転制御時に、制御部１７０からの指示が出力されるようになっている。
【００４２】
コンビネーションメータ１５０は、車両走行時における各種情報をドライバに表示するものであり、本発明の搭載機器、および駆動用機器に対応する。コンビネーションメータ１５０は、ドライバの前方側となるインストルメントパネルに配置されている。コンビネーションメータ１５０は、例えば、車両速度、エンジン回転数、エンジン水温、燃料残量、各種インフォメーション、およびドライバに対する警告、警報等を表示するようになっている。警告、警報は、ランプの点滅、点灯表示によってドライバに知らせるもの、あるいはブザー、チャイム等でドライバに知らせるもの等がある。コンビネーションメータ１５０には、運転制御時に、制御部１７０からの指示が出力されるようになっている。
【００４３】
ヘッドアップディスプレイ装置（以下、ＨＵＤ装置）１６０は、車両走行時における各種情報をドライバに表示するものであり、本発明の搭載機器、および駆動用機器に対応する。ＨＵＤ装置１６０は、ドライバ前方のインストルメントパネル内に設置されており、ＨＵＤ制御部によってその表示動作が制御されるようになっている。ＨＵＤ装置１６０は、画像形成部（液晶ディスプレイ）と、反射装置とを備えている。
【００４４】
ＨＵＤ装置１６０は、画像形成部から出射される表示光（表示像１６１に対応する元画像）を、反射装置によって車両のフロントウインドウ４０のＨＵＤ表示エリアに入射させる。そして、ＨＵＤ装置１６０は、ドライバとＨＵＤ表示エリアとを結ぶ線の車両前方延長線上に、元画像の表示像１６１を結像させて、表示像１６１を虚像としてドライバに視認させるものとなっている。
【００４５】
このＨＵＤ装置１６０によって、ドライバは、表示像１６１と、車両の前景とを重畳して視認することができるようになっている。ＨＵＤ表示エリアにおける表示像１６１は、各種情報のうち、重要度のより高いものが選定されており、例えば、速度値、目的地案内情報としての走行方向変更の矢印等が表示されるようになっている。
【００４６】
制御部１７０は、道路情報取得部１１０、車両情報取得部１２０、およびドライバ情報取得部１３０から得られる各種取得データ（以下、計測データ）、および既知のデータとして予め所定の記憶部に記憶蓄積された蓄積データに基づいて、スロットルアクチュエータ１１、操舵モータ２１、およびブレーキアクチュエータ３１を制御して、運転制御（例えばドライバに対する運転支援）を行うようになっている。また、制御部１７０は、運転制御時に必要とされる制御内容を、空調装置１４０、コンビネーションメータ１５０、およびＨＵＤ装置１６０に対して指示するようになっている。
【００４７】
ここで、上記蓄積データというのは、各種取得部１１０、１２０、１３０によって直に計測データとして取得しなくても、時間経過と共に大きく変動することのないデータである。具体的には、道路情報においては、道路形状、道路状況、交通施設、および障害物情報等のデータが蓄積データに対応する。また、車両情報においては、視認性、操作性、快適性、車両の欠陥、故障、車両性能、および車両信号等のデータが蓄積データ対応する。また、ドライバ情報においては、素質、経歴、意欲、および人間特性等のデータが蓄積データに対応する。
【００４８】
蓄積データは、例えば、所定のデータセンタ、あるいはドライバが持ち込む持込み機器に保存されたものを、ドライバ自身によって、あるいはデーラ、整備工場等のメカニックマンによって制御部１７０に予め記憶されている。
【００４９】
次に、上記構成に基づく運転制御装置１００の作動について、図２〜図６を追加して説明する。
【００５０】
図２に示すように、運転制御装置１００において、制御部１７０は、道路情報、車両情報、およびドライバ情報に関する計測データおよび蓄積データに基づいて、ドライバの置かれたシーンを分析、推定し、最適な運転制御のための条件を算出する。そして、車両運転条件に基づく制御、車室内空間条件に基づく制御、およびＨＭＩ（Ｈｕｍａｎ  Ｍａｃｈｉｎｅ  Ｉｎｔｅｒｆａｃｅ）条件に基づく制御を実行する。
【００５１】
具体的には、図３に示すように、制御部１７０は、情報取得制御と運転制御とを実行する。
【００５２】
制御部１７０は、情報取得制御にあたって、道路情報の取得、車両情報の取得、およびドライバ情報の取得を、３つのサブルーチン（図３中の１、２、３）に基づいて実行する。各サブルーチン１、２、３は、それぞれ同様の内容になっている。
【００５３】
道路情報の取得サブルーチン１では、制御部１７０は、ステップＳ１００で、ドライバあるいはメカニックマンによって道路情報に係る蓄積データの入力があると、それらのデータを所定の記憶部に記憶（入力）する。次に、ステップＳ１１０で、車両走行時において、道路情報取得部１１０によってリアルタイムで計測取得される各種計測データを入力していく。そして、ステップＳ１２０で、蓄積データと計測データとを基にして、道路環境、道路状況の分析を行う。制御部１７０は、ステップＳ１１０およびステップＳ１２０を繰り返すことで、計測データの取得と分析とを繰り返す。
【００５４】
車両情報の取得サブルーチン２においては、制御部１７０は、上記道路情報の取得サブルーチン１と同様にして、車両特性、車両状態に関する蓄積データの入力、更には車両情報取得部１２０による計測データの取得および分析を実行する。
【００５５】
また、ドライバ情報の取得サブルーチン３において、制御部１７０は、上記道路情報の取得サブルーチン１と同様にして、ドライバ特性、ドライバ状態に関する蓄積データの入力、更にはドライバ情報取得部１３０による計測データの取得および分析を実行する。
【００５６】
ここで、制御部１７０は、取得する計測データからドライバの特性、ドライバの状態を分析するにあたって、計測データの繰り返し取得によって、学習データを作成していく。制御部１７０は、取得した計測データを例えば集計、平均化して、走行時におけるドライバの癖、好み、および傾向等がどのようなものであるかを示すデータとして学習データを作成していく（第１の学習）。
【００５７】
学習データは、例えば、道路情報取得部１１０によって得られる計測データから、走行時における前方車両との距離の取り方、後方車両との距離の取り方、走行レーン内での左右方向の位置取り、複数のレーンがあるときにどのレーンを好んで走行するか、加速の仕方、減速の仕方、更には、カーブ路でのステアリング２０の切り方等を示すデータとして得ることができる。
【００５８】
また、学習データは、ドライバ情報取得部１３０によって得られる計測データから、ドライバがどのようなシーンにおいて、どのような心境となるのか、またどのような行動をとる傾向にあるのか等を示すデータとして得ることができる。
【００５９】
次に、制御部１７０は、運転制御にあたって、ステップＳ２００で、上記サブルーチン１、２、３で得た道路情報、車両情報、およびドライバ情報を読み込む。そして、３つの情報を総合してステップＳ２１０、ステップＳ２２０を実行する。つまり、ステップＳ２１０では、運転シーン、およびその状況を分析する。また、ステップＳ２２０では、運転シーンの推定と、この運転シーンに見合う最適な運転制御条件（総合的な制御条件）の算出を行う。
【００６０】
制御部１７０は、最適な運転制御条件を算出するにあたっては、主に、道路情報と車両情報とから、まず、運転制御に必要とされる基本条件を算出する。そして、上記の情報取得制御における第１の学習によって得たドライバ条件（ドライバの特性、状態）を加味して、最適な運転制御条件を算出する。
【００６１】
そして、制御部１７０は、ステップＳ２３０で、車両走行のための設定条件、車室内の空調のための設定条件、ドライバへの情報表示のための設定条件を変更する。そして、制御部１７０は、ステップＳ２４０で、車両の各アクチュエータ、つまり、スロットルアクチュエータ１１、操舵モータ２１、ブレーキアクチュエータ３１、更には、空調装置１４０、コンビネーションメータ１５０、およびＨＵＤ装置１６０への反映を行う。
【００６２】
例えば、クルーズコントロールを行う場合であると、図４、図５に示すように、前方車両、および後方車両との距離が適度に維持されて、所定の速度で走行するように運転支援される。また、走行レーン内においては、適度な左右位置が維持される。よって、ドライバのパーソナルスペースが確保される。
【００６３】
更に、図６に示すように、前方車両との距離が適度に維持されることによって、ＨＵＤ装置１６０による表示像１６１の位置が前方車両の位置を加味した位置に調整される。例えば、クルーズコントロールによって、前方車両の位置がより遠くになれば、表示像１６１の位置がより遠くに設定される。逆に、クルーズコントロールによって、前方車両の位置がより近くになれば、表示像１６１の位置がより近くに設定される。表示像１６１の位置は、ＨＵＤ装置１６０の反射装置によって反射される表示像１６１のフロントウインドウ４０に対する入射位置を調整することで、変更することが可能となる。
【００６４】
また、空調装置１４０によって、クルーズコントロール走行に見合った空調条件での空調が実施される。また、コンビネーションメータ１５０、およびＨＵＤ装置１６０には、例えば、「クルーズコントロールが作動されました」、「車速を○○ｋｍ／ｈに設定します」等のインフォメーションが表示される。
【００６５】
そして、制御部１７０は、ステップＳ２５０で、実施結果の評価を行い、必要に応じて制御内容の見直し反映を行い、見直しデータを保存する。実施結果の評価として、具体的には、制御部１７０は、ドライバ情報取得部１３０（生体センサ１３１、ドライバカメラ１３２）によって、ドライバの反応として、心拍数、体温、発汗状態、更にはドライバの表情、動き等を把握する。この把握結果に応じて、設定した総合的な制御条件を補正するのである（第２の学習）。補正した見直しデータは、随時保存され、上記した情報取得制御に生かされる。ここで、ドライバ情報取得部１３０は、本発明の把握手段に対応する。
【００６６】
例えば、ドライバ情報取得部１３０によって得られたドライバの心拍数、体温、発汗状態が不安を示すようなデータとなると、あるいは、ドライバの表情、動きが不満を示すようなデータとなると、制御部１７０は、設定した制御条件では、ドライバは不安、不満を持ったと判定して、制御条件を補正するのである。ドライバの不安、不満の内容は、例えば、クルーズコントロールにおいて、前方車両あるいは後方車両との距離がドライバ本人の通常の感覚より短い、または走行レーン中の左右位置がドライバ本人の通常の感覚より左右方向のいずれかに偏っている等の内容である。あるいは、ドライバの不安、不満の内容は、加速、減速、カーブの切り方が急すぎる等の内容である。
【００６７】
そして、制御部１７０は、ステップＳ２１０〜ステップＳ２５０を繰り返す。この繰り返しによって、第１の学習、および第２の学習が繰り返されることになり、ドライバ情報における走行時の癖、好み、傾向に係るデータはより精度の高いものに修正されていく。また、このような実施結果の評価から、ドライバをよりリラックスさせるための空調条件（温度調整、風量調整等）を設定して、ステップＳ２３０における空調装置１４０の制御が可能となる。
【００６８】
以上より、本実施形態では、制御部１７０は、道路情報、および車両情報に基づいて運転制御に必要とされる基本条件を算出するので、道路の環境、状況、および車両の特性、状態に見合った制御条件とすることができ、信頼性の高い運転制御を実現することができる。
【００６９】
加えて、制御部１７０は、上記の基本条件に加えて、ドライバ情報に基づいてドライバの特性、状態に合ったドライバ条件を学習算出して、総合的な制御条件とする。よって、ドライバの日常的な運転の癖、好み、傾向、更には当日の体調等に応じた運転制御を実現することができるので、ドライバの感覚にマッチした運転制御とすることができる。
【００７０】
また、制御部１７０は、運転制御において、把握手段（１３１、１３２）によって得られたドライバの反応結果に応じて、総合的な制御条件の見直しを行うようにしている（ステップＳ２５０）。
【００７１】
これにより、制御部１７０は、最初に算出した総合的な制御条件に対して、随時、ドライバの反応結果を反映した制御条件に変更していくことができるので、ドライバの感覚によりマッチした制御条件の設定が可能となる。つまり、運転制御の精度を上げることができる。
【００７２】
また、道路情報、車両情報、およびドライバ情報は、それぞれ、道路情報取得部１１０、車両情報取得部１２０、およびドライバ情報取得部１３０によってリアルタイムで計測取得される計測データに加えて、既知のデータとして予め制御部１７０に記憶蓄積された蓄積データを含むようにしている。
【００７３】
これにより、各蓄積データにより、各種の情報取得部を増加させることなく、道路情報、車両情報、およびドライバ情報における情報量を、効果的に増加させることができるので、精度の高い制御条件の設定が可能となる。
【００７４】
また、搭載機器としては、車両の走行に関与する駆動用機器１１、２１、３１、車室内の空調を行う空調用機器１４０、およびドライバへの各種表示を行う表示用機器１５０、１６０の少なくとも１つとしている。
【００７５】
これにより、搭載機器を駆動用機器１１、２１、３１とする場合であると、車両走行に関する運転制御が可能となる。また、搭載機器を空調用機器１４０とする場合であると、例えば、ドライバの状態（体調等）に応じた空調の運転制御が可能とある。また、搭載機器を表示用機器１５０、１６０とする場合であると、表示に基づくドライバへの運転アシストが可能となる。
【００７６】
尚、上記実施形態では、運転制御の内容として、例えば、クルーズコントロールのようなドライバに対する運転支援をする場合を例にして説明したが、当然のことながら、その他の運転支援（車線維持支援、衝突回避支援等）、更にはドライバの直接的な操作を不要とする完全な自動運転の場合においても同様に適用可能である。
【００７７】
（その他の実施形態）
上記第１実施形態では、運転制御のステップＳ２５０において、ドライバの反応結果に応じた制御条件の見直しを行うようにしたが、廃止したものとしてしてもよい。
【００７８】
また、道路情報、車両情報、およびドライバ情報において、リアルタイムで計測取得される計測データに加えて、予め蓄積された蓄積データを有するものとしたが、蓄積データを廃止して、すべて計測データで対応するようにしてもよい。
【００７９】
また、運転制御の対象となる搭載機器は、車両の駆動用機器１１、２１、３１、空調用機器１４０、およびドライバへの表示を行う表示用機器１５０、１６０としたが、少なくとも１を対象とするものとしてもよい。
【符号の説明】
【００８０】
１１  スロットルアクチュエータ（搭載機器、駆動用機器）
２１  操舵モータ（搭載機器、駆動用機器）
３１  ブレーキアクチュエータ（搭載機器、駆動用機器）
１００  運転制御装置
１１０  道路情報取得部（道路情報取得手段）
１２０  車両情報取得部（車両情報取得手段）
１３０  ドライバ情報取得部（ドライバ情報取得手段）
１３１  生体センサ（ドライバ情報取得手段、把握手段）
１３２  ドライバカメラ（ドライバ情報取得手段、把握手段）
１７０  制御部
【図１】
2016020177.tif 000003
【図２】
2016020177.tif 000004
【図３】
2016020177.tif 000005
【図４】
2016020177.tif 000006
【図５】
2016020177.tif 000007
【図６】
2016020177.tif 000008